(57)【要約】【課題】迅速にリセット処理を行う。【解決手段】電気光学装置（１００）は、走査線（Ｙ１〜Ｙｎ）に順次オン電圧の走査信号を供給し、リセット信号が入力された場合、走査信号の供給を停止した後に先頭行から順次オン電圧の走査信号を供給する走査線駆動回路（１０４）と、極性信号（ＰＯＬ）に応じて電圧レベルが切り替わる蓄積容量電圧を容量線に供給する蓄積容量駆動回路（１１０）と、リセット信号が入力された場合、極性信号の信号レベルが切り替わるタイミングを変更する変更回路（１２０）と、リセット信号が入力された場合、リセット処理用の書込信号を書き込むリセット回路（１０１、１３１、１３２）とを備え、蓄積容量駆動回路は、リセット信号が入力された場合、所定の蓄積容量電圧を容量線に供給する。【選択図】図５
2009229817.tif 000002
【特許請求の範囲】
【請求項１】
複数の走査線と複数のデータ線との交差に対応してマトリクス状に設けられる複数の画素電極と、
夫々の一端が対応する前記画素電極に電気的に接続される複数の蓄積容量素子と、
前記複数の蓄積容量素子に対応して設けられると共に夫々が対応する前記蓄積容量素子の他端に電気的に接続される複数の容量線と、
前記画素電極と共通電極との間に印加される電界に応じて駆動される電気光学物質と、
(i)前記複数の走査線の夫々に順次オン電圧の走査信号を供給し、(ii)リセット処理を行うことを示すリセット信号が入力された場合、前記複数の走査線の夫々に対する前記走査信号の供給を停止した後に、前記複数の走査線の夫々に先頭行から順次オン電圧の前記走査信号を供給する走査線駆動回路と、
隣接する２つの行の容量線に異なる電圧レベルの蓄積容量電圧が供給されるように、１垂直走査期間毎に信号レベルが切り替わる極性信号に応じて電圧レベルが切り替わる前記蓄積容量電圧を前記複数の容量線の夫々に供給する蓄積容量駆動回路と、
前記リセット信号が入力された場合、前記極性信号の信号レベルが切り替わるタイミングを変更する変更回路と、
前記リセット信号が入力された場合、前記データ線にリセット処理用の書込信号を書き込むリセット回路と
を備え、
前記蓄積容量駆動回路は、前記リセット信号が入力された場合、前記複数の容量線の夫々に所定の電圧レベルを有する前記蓄積容量電圧を供給することを特徴とする電気光学装置。
【請求項２】
前記変更回路は、１水平走査期間毎に信号レベルが切り替わるように前記極性信号の信号レベルが切り替わるタイミングを変更し、
前記蓄積容量駆動回路は、前記リセット信号が入力された場合、前記リセット信号が入力された直後に前記複数の容量線の夫々に同一の電圧レベルを有する前記蓄積容量電圧を供給した後、信号レベルが切り替わるタイミングが変更された前記極性信号に応じて電圧レベルが切り替わる前記蓄積容量電圧を前記複数の容量線の夫々に供給することを特徴とする請求項１に記載の電気光学装置。
【請求項３】
前記変更回路は、信号レベルが固定されるように前記極性信号の信号レベルが切り替わるタイミングを変更し、
前記蓄積容量駆動回路は、前記リセット信号が入力された場合、前記リセット信号が入力された直後に隣接する２つの行の容量線に異なる電圧が供給されるように前記複数の容量線の夫々に前記蓄積容量電圧を供給した後、信号レベルが切り替わるタイミングが変更された前記極性信号に応じて電圧レベルが切り替わる前記蓄積容量電圧を前記複数の容量線の夫々に供給することを特徴とする請求項１に記載の電気光学装置。
【請求項４】
前記蓄積容量駆動回路は、前記リセット信号が入力された場合、前記リセット信号が入力された直後に供給される前記蓄積容量電圧の電圧レベルと同一の電圧レベルを有する前記蓄積容量電圧を前記複数の容量線の夫々に供給し、
前記リセット回路は、前記共通電極の電位と同一の電圧レベルを有する前記書込信号を前記データ線に書き込むことを特徴とする請求項２又は３に記載の電気光学装置。
【請求項５】
前記リセット回路は、前記データ線に対してデータ信号を供給するデータ線駆動回路を含むことを特徴とする請求項４に記載の電気光学装置。
【請求項６】
前記リセット回路は、前記共通電極と前記データ線とを短絡させる短絡回路を含むことを特徴とする請求項４に記載の電気光学装置。
【請求項７】
前記蓄積容量駆動回路は、前記リセット信号が入力された場合、前記リセット信号が入力された直後に供給される前記蓄積容量電圧の電圧レベルとは異なる電圧レベルを有する前記蓄積容量電圧を前記複数の容量線の夫々に供給し、
前記リセット回路は、オフレベルの電圧レベルを有する前記書込信号を前記データ線に書き込むことを特徴とする請求項２又は３に記載の電気光学装置。
【請求項８】
前記リセット回路は、前記データ線に対してデータ信号を供給するデータ線駆動回路を含むことを特徴とする請求項７に記載の電気光学装置。
【請求項９】
前記走査線駆動回路は、前記リセット信号が入力された場合、前記リセット信号が入力される前と比較して、前記走査信号の前記走査線への供給動作を早め、
前記蓄積容量駆動回路は、前記リセット信号が入力された場合、前記リセット信号が入力される前と比較して、前記蓄積容量電圧の前記容量線への供給動作を早めることを特徴とする請求項１から８のいずれか一項に記載の電気光学装置。
【請求項１０】
請求項１から９のいずれか一項に記載の電気光学装置を備えることを特徴とする電子機器。
【発明の詳細な説明】
【技術分野】
【０００１】
本発明は、例えば液晶装置等の電気光学装置、及びこのような電気光学装置を備える電子機器の技術分野に関する。
【背景技術】
【０００２】
この種の電気光学装置として、一対の素子基板及び対向基板間に、電気光学物質の一例である液晶が挟持される液晶装置が一例としてあげられる。素子基板上における複数の画素が配列されてなる画素領域には、走査線及びデータ線の交差に対応して画素電極を含む画素部が形成されることにより、複数の画素部がマトリクス状に平面配列される。そして、各画素部には、画素スイッチング素子として、例えば薄膜トランジスタ（Thin Film Transistor；以下適宜、「ＴＦＴ」と称する）が含まれる。電気光学装置の駆動時、各画素部において、走査線より走査信号が供給されることにより画素スイッチング素子がオン状態となると、データ線より画素スイッチング素子を介して画素電極に画像信号が供給される。また、典型的には、複数の画素電極に対応して、画素領域の概ね全体に、複数の画素部に共通に共通電極（或いは、対向電極）がベタ状に形成されている。そして、液晶装置の駆動時には、画素電極と共通電極との間の電位差に基づく印加電圧が液晶に印加される。その結果、液晶の配向や秩序が制御され、画像表示が可能となる。
【０００３】
ところで、液晶装置には、適用される電子機器の特性、特長及び用途等から、低消費電力が強く求められている。この一方、データ線は高い周波数で駆動され且つ液晶の駆動には通常１０ボルト以上の高い電圧振幅が必要であるため、データ線には高い電圧振幅を有する画像信号が供給されるのが一般的である。
【０００４】
このような低消費電力化の要請に応えるために、データ線に供給されるデータ信号（画像信号）の電位が正極性書込に対応するものであるか又は負極性書込に対応するものであるかに応じて、液晶と並列に接続される蓄積容量素子（例えば、キャパシタ）の他端の電位を、高位側又は低位側にシフトさせることにより、データ線に供給される画像信号の電圧振幅を低減させ、その結果、低消費電力化を実現する蓄積容量線（Storage Swinging Line）駆動を採用する液晶装置が開発されている（例えば、特許文献１参照）。特に、液晶の焼きつきを防止するために、偶数行（偶数ライン）と奇数行（奇数ライン）とで書込時の極性を反転させることが好ましいため、蓄積容量素子についても、偶数行の蓄積容量素子の電位と奇数行の蓄積容量素子の電位とを互いに異なる電位にシフトさせることが好ましい。
【０００５】
【特許文献１】特開２００６−３１３３１９号公報
【発明の開示】
【発明が解決しようとする課題】
【０００６】
このような液晶装置では、画像を表示している途中で強制的にシャットダウン（言い換えれば、リセット処理ないしは初期化処理）を行うように使用されることがある。この場合、迅速にリセット処理を行うために、リセット信号が入力されてからすぐに、画素部へのオフ信号の書込動作等を含むリセット処理が開始されることが好ましい。しかしながら、上述の如くＳＳＬ駆動を採用する場合には、１フレームの走査動作の途中の時点（つまり、途中行への走査が行われている時点）でリセット信号が入力されると以下のような技術的な問題が生じてしまう。具体的には、リセット信号が入力された時点で走査が終了していた行の蓄積容量素子の電圧レベルとリセット信号が入力された時点で走査が終了していない行の蓄積容量素子の電圧レベルとが、通常のＳＳＬ駆動を行った場合の電圧レベルとは異なる電位になってしまう。つまり、本来は１行ごとに蓄積容量素子の電位が反転しているべきところ、電位の反転が生じない箇所が生じてしまう。このため、１フレームの走査動作の途中の時点でリセット信号が入力された場合には、リセット信号が入力された時点で走査が行われていた行を記憶しておかなければ、リセット信号の入力直後からオフ信号（特に、蓄積容量素子の他端の電位に応じた適切なオフ信号）の書込動作等を含むリセット処理を開始することができない。
【０００７】
加えて、ＳＳＬ駆動では、一般的には、走査線駆動回路から出力される走査信号に基づいて、蓄積容量素子（例えば、キャパシタ）の他端の電位を高位側又は低位側にシフトさせるタイミングを制御している。ここで、走査線駆動回路がシフトレジスタから構成されている場合には、リセット信号が入力された後であっても、１フレームの走査動作の途中で走査信号の出力を止めることができず、結果として、リセット信号が入力されたとしても、それまで行われていた走査が続けて行われてしまいかねない。従って、仮にリセット信号が入力された時点で走査が行われていた行を記憶したとしても、リセット信号が入力された後に走査線駆動回路の走査が行われるか否かに応じて、蓄積容量素子の他端の電位が変動してしまいかねない。つまりは、蓄積容量素子の他端の電位が不定状態になりかねない。これは、表示オフ書込みに起因した異常表示の発生につながりかねない。
【０００８】
このため、現状では、安定的にリセット処理を行うためには、１フレームの走査動作の途中の時点でリセット信号が入力された場合であっても、１フレームの走査動作を通常どおりに終了した後でなければリセット処理を開始することができない。これは、迅速なリセット処理の実行という観点から見れば、好ましいとは言いがたい。
【０００９】
本発明は、例えば上述した従来の問題点に鑑みなされたものであり、例えば迅速にリセット処理を行う電気光学装置、及びこのような電気光学装置を備える電子機器を提供することを課題とする。
【課題を解決するための手段】
【００１０】
（電気光学装置）
本発明の電気光学装置は、複数の走査線と複数のデータ線との交差に対応して設けられる複数の画素電極と、夫々の一端が対応する前記画素電極に電気的に接続される複数の蓄積容量素子と、前記複数の蓄積容量素子に対応して設けられると共に夫々が対応する前記蓄積容量素子の他端に電気的に接続される複数の容量線と、前記画素電極と共通電極との間に印加される電界に応じて駆動される電気光学物質と、(i)前記複数の走査線の夫々に順次オン電圧の走査信号を供給し、(ii)リセット処理を行うことを示すリセット信号が入力された場合、前記複数の走査線の夫々に対する前記走査信号の供給を停止した後に、前記複数の走査線の夫々に先頭行から順次オン電圧の前記走査信号を供給する走査線駆動回路と、隣接する２つの行の容量線に異なる電圧レベルの蓄積容量電圧が供給されるように、１垂直走査期間毎に信号レベルが切り替わる極性信号に応じて電圧レベルが切り替わる前記蓄積容量電圧を前記複数の容量線の夫々に供給する蓄積容量駆動回路と、前記リセット信号が入力された場合、前記極性信号の信号レベルが切り替わるタイミングを変更する変更回路と、前記リセット信号が入力された場合、前記データ線にリセット処理用の書込信号を書き込むリセット回路とを備え、前記蓄積容量駆動回路は、前記リセット信号が入力された場合、前記複数の容量線の夫々に所定の電圧レベルを有する前記蓄積容量電圧を供給する。
【００１１】
本発明の電気光学装置によれば、画素電極や共通電極や蓄積容量素子等に対して電圧を供給することにより駆動する。本発明に係る電気光学装置は、例えば画像信号であるデータ信号が供給されるデータ線と走査信号が供給される走査線との交差位置に対応するように設けられる複数の画素電極と、該複数の画素電極に対応するように設けられる一又は複数の共通電極とを備えている。また、電気光学装置は、夫々の一端が対応する画素電極と電気的に接続されると共に夫々の他端が対応する容量線と電気的に接続される複数の蓄積容量素子を備えている。そして、複数の画素電極と一又は複数の共通電極との間の電位差に起因した電圧が電気光学物質に印加されると共に、該電圧が蓄積容量素子に保持されることで、画像表示等が行われる。
【００１２】
このような電気光学装置の駆動を実現するため、電気光学装置は、走査線駆動回路と、蓄積容量駆動回路とを備えている。
【００１３】
走査線駆動回路は、複数の走査線に対して、所定のタイミングでオン電圧の走査信号を順次供給する。その結果、オン電圧の走査信号が供給された走査線に対応する行の画素電極が選択される。これにより、オン電圧の走査信号が供給された走査線に対応する行の画素電極に対してデータ信号の書き込みが行われる。この動作が複数の走査線に対して順に行われることで、電気光学装置における画像表示が行われる。
【００１４】
蓄積容量駆動回路は、複数の容量線に対して蓄積容量電圧を供給する。ここで、蓄積容量駆動回路は、隣接する２つの行の容量線に、夫々異なる電圧レベルの蓄積容量電圧を供給する。この蓄積容量電圧の供給動作は、１垂直走査期間毎に信号レベルが切り替わる極性信号に応じて行われる。例えば、極性信号の信号レベルが第１レベルである場合には、蓄積容量駆動回路は、奇数行の容量線に対して、第１電圧レベル（例えば、相対的にハイレベルな電圧レベル）を有する蓄積容量電圧を供給する一方で、偶数行の容量線に対して、第２電圧レベル（例えば、相対的にローレベルな電圧レベル）を有する蓄積容量電圧を供給する。他方で、例えば、極性信号の信号レベルが第１レベルとは異なる第２レベルである場合には、蓄積容量駆動回路は、奇数行の容量線に対して、第２電圧レベルを有する蓄積容量電圧を供給する一方で、偶数行の容量線に対して、第１電圧レベルを有する蓄積容量電圧を供給する。
【００１５】
加えて、極性信号の信号レベルが１垂直走査期間毎に切り替わるため、各容量線に供給される蓄積容量電圧の電圧レベルは、１垂直走査期間毎に切り替えられる。具体的には、例えば、ある行の容量線に対して第１電圧レベルを有する蓄積容量電圧が供給されている場合には、１垂直走査期間後には、ある行の容量線に対して供給される蓄積容量電圧の電圧レベルが第１電圧レベルから第２電圧レベルへと切り替えられる。同様に、例えば、ある行の容量線に対して第２電圧レベルを有する蓄積容量電圧が供給されている場合には、１垂直走査期間後には、ある行の容量線に供給される蓄積容量電圧の電圧レベルが第２電圧レベルから第１電圧レベルへと切り替えられる。
【００１６】
本発明に係る電気光学装置は、電気光学装置のリセット処理（言い換えれば、シャットダウン処理）を行うために、走査線駆動回路及び蓄積容量駆動回路の夫々が上述した動作以外の動作を行うと共に、変更回路と、リセット回路とを更に備えている。
【００１７】
具体的には、リセット処理が行われるタイミングで、走査線駆動回路や蓄積容量駆動回路や変更回路やリセット回路に対してリセット信号が供給される。リセット信号は、リセット処理を行うタイミング等を示す信号であって、例えばリセット処理が行われるタイミングで信号レベルが切り替わる信号が一例としてあげられる。
【００１８】
このようなリセット信号が入力される走査線駆動回路は、複数の走査線の夫々に対するオン電圧の走査信号の供給を一旦停止した後に、複数の走査線の夫々に対して、再度先頭行から順次オン電圧の走査信号を供給する。つまり、走査線駆動回路は、途中行の走査線に対して走査信号を供給している場合であっても、一旦走査信号の供給を停止した後に、先頭行の走査線からオン電圧の走査信号の供給を再開する。
【００１９】
また、リセット信号が入力される変更回路は、極性信号の信号レベルが切り替わるタイミングを変更する。このとき、変更回路は、リセット回路による書込信号の書き込み動作が好適に行われるように極性信号の信号レベルが切り替わるタイミングを変更する。その結果、蓄積容量駆動回路に対して、１垂直走査期間以外の期間毎に信号レベルが切り替わる又は信号レベルが切り替わらない極性信号が供給される。
【００２０】
また、リセット信号が入力される蓄積容量駆動回路は、まず、複数の容量線の夫々に対して所定の電圧レベルを有する蓄積容量電圧を供給する。ここでは、各行の容量線に対して供給される蓄積容量電圧の電圧レベルが予め定まっていれば、隣接する２つの行の蓄積線に異なる電圧レベルの蓄積容量電圧を供給する必要は必ずしもない。その後、蓄積容量駆動回路は、複数の容量線の夫々に対して、変更回路によって信号レベルが切り替わるタイミングが変更された極性信号に応じて電圧レベルが切り替わる蓄積容量電圧を供給する。
【００２１】
その後、リセット信号が入力されるリセット回路は、データ線に対してリセット用の書込信号を書き込む。その結果、データ線を介して書込信号が画素電極に対して書き込まれる。これにより、電気光学装置のリセット処理が完了する。
【００２２】
以上説明したように、本発明によれば、途中行への走査を行っている途中で強制的にリセット処理を行う旨の指示が入力されたとしても、まず、走査信号の供給が停止されると共に複数の容量線に対して所定の電圧が供給される。このため、本発明に係る駆動回路は、リセット信号が入力された時点で走査が行われていた行を記憶していなくとも、各行の容量線（言い換えれば、蓄積容量素子の他端）の電圧レベルがどのようなレベルであるのかを好適に認識することができる。また、その後は、リセット用の書込信号の書込みが好適に行われるように信号レベルが変化するタイミングが変更された極性信号に応じて、容量線の電圧レベルを好適な電圧レベルに維持することができる。従って、リセット用の書込信号の書込み動作を好適に行うことができる。つまり、１垂直走査期間における走査動作の途中の時点でリセット信号が入力された場合であっても、１垂直走査期間における走査動作を終了させる必要はなくなる。このため、リセット信号が入力されると、迅速にリセット処理を開始することができる。
【００２３】
本発明の電気光学装置の一の態様では、前記変更回路は、１水平走査期間毎に信号レベルが切り替わるように前記極性信号の信号レベルが切り替わるタイミングを変更し、前記蓄積容量駆動回路は、前記リセット信号が入力された場合、前記リセット信号が入力された直後に前記複数の容量線の夫々に同一の電圧レベルを有する前記蓄積容量電圧を供給した後、信号レベルが切り替わるタイミングが変更された前記極性信号に応じて電圧レベルが切り替わる前記蓄積容量電圧を前記複数の容量線の夫々に供給する。
【００２４】
この態様によれば、リセット信号が入力された直後に、蓄積容量駆動回路の動作により、複数の容量線の全ての電圧レベルが同一となるように、複数の容量線の夫々に対して同一の電圧レベルの蓄積容量電圧が供給される。加えて、極性信号の信号レベルが１水平走査期間毎に切り替わるため、蓄積容量駆動回路は、全ての行の容量線に対して同一の電圧レベルの蓄積容量電圧を供給することができる。つまり、この態様によれば、リセット処理が行われる間、各行の容量線の電圧レベルを同一にすることができる。従って、途中行への走査を行っている途中で強制的にリセット処理を行う旨の指示が入力されたとしても、各行の容量線の電圧レベルがどのような電圧レベルであるのかを好適に認識することができると共に、リセット用の書込信号の書込みが好適に行われるように容量線の電圧レベルを好適な電圧レベルに維持することができる。従って、１垂直走査期間における走査動作の途中の時点でリセット信号が入力された場合であっても、１垂直走査期間における走査動作を終了させることなく、迅速にリセット処理を開始することができる。
【００２５】
本発明の電気光学装置の他の態様では、前記変更回路は、信号レベルが固定されるように前記極性信号の信号レベルが切り替わるタイミングを変更し、前記蓄積容量駆動回路は、前記リセット信号が入力された場合、前記リセット信号が入力された直後に隣接する２つの行の容量線に異なる電圧が供給されるように前記複数の容量線の夫々に前記蓄積容量電圧を供給した後、信号レベルが切り替わるタイミングが変更された前記極性信号に応じて電圧レベルが切り替わる前記蓄積容量電圧を前記複数の容量線の夫々に供給する。
【００２６】
この態様によれば、リセット信号が入力された直後に、蓄積容量駆動回路の動作により、奇数行の容量線と偶数行の容量線とに対して、夫々異なる電圧レベルの蓄積容量電圧が供給される。加えて、極性信号の信号レベルが固定されるため、蓄積容量駆動回路は、奇数行の容量線と偶数行の容量線とに対して、夫々異なる電圧レベルの蓄積容量電圧を供給することができる。つまり、この態様によれば、リセット処理が行われる間、奇数行の容量線と偶数行の容量線とに対して夫々異なる電圧レベルの蓄積容量電圧が供給される状態を維持することができる。従って、途中行への走査を行っている途中で強制的にリセット処理を行う旨の指示が入力されたとしても、各行の容量線の電圧レベルがどのような電圧レベルであるのかを好適に認識することができると共に、リセット用の書込信号の書込みが好適に行われるように容量線の電圧レベルを好適な電圧レベルに維持することができる。従って、１垂直走査期間における走査動作の途中の時点でリセット信号が入力された場合であっても、１垂直走査期間における走査動作を終了させることなく、迅速にリセット処理を開始することができる。
【００２７】
上述の如く１水平走査期間毎に信号レベルが切り替わるように又は信号レベルが固定されるように極性信号の信号レベルが切り替わるタイミングを変更する電気光学装置の態様では、前記蓄積容量駆動回路は、前記リセット信号が入力された場合、前記リセット信号が入力された直後に供給される前記蓄積容量電圧の電圧レベルと同一の電圧レベルを有する前記蓄積容量電圧を前記複数の容量線の夫々に供給し、前記リセット回路は、前記共通電極の電位と同一の電圧レベルを有する前記書込信号を前記データ線に書き込むように構成してもよい。
【００２８】
このように構成すれば、リセット直後（言い換えれば、リセット用の書込信号が書き込まれる前）における容量線の電圧レベルと、実際にリセット用の書込信号が書き込まれた後における容量線の電圧レベルとを同じにすることができる。このため、共通電極の電位と同一の電圧レベルを有するリセット用の書込信号を書き込むことで、リセット処理を好適に完了させることができる。
【００２９】
上述の如くリセット回路が共通電極の電位と同一の電圧レベルを有する書込信号を書き込む電気光学装置の態様では、前記リセット回路は、前記データ線に対してデータ信号を供給するデータ線駆動回路を含むように構成してもよい。
【００３０】
このように構成すれば、データ線駆動回路であるリセット回路は、通常のデータ線へのデータ信号の供給動作と同様の態様で、共通電極の電位と同一の電圧レベルを有する書込信号をデータ線に供給することができる。これにより、リセット処理を好適に完了させることができる。
【００３１】
上述の如くリセット回路が共通電極の電位と同一の電圧レベルを有する書込信号を書き込む電気光学装置の態様では、前記リセット回路は、前記共通電極と前記データ線とを短絡させる短絡回路を含むように構成してもよい。
【００３２】
このように構成すれば、リセット回路は、共通電極とデータ線とを短絡させることで、比較的容易に、共通電極の電位と同一の電圧レベルを有する書込信号をデータ線に供給することができる。これにより、リセット処理を好適に完了させることができる。
【００３３】
加えて、上述の如くデータ線駆動回路を使用することなくリセット用の書込信号の書込み動作を行うことができるため、データ線駆動回路に対して行われるリセット処理（言い換えれば、初期化動作）の影響を受けることなく、リセット用の書込信号の書込み動作を完了させることができる。
【００３４】
上述の如く１水平走査期間毎に信号レベルが切り替わるように又は信号レベルが固定されるように極性信号の信号レベルが切り替わるタイミングを変更する電気光学装置の態様では、前記蓄積容量駆動回路は、前記リセット信号が入力された場合、前記リセット信号が入力された直後に供給される前記蓄積容量電圧の電圧レベルとは異なる電圧レベルを有する前記蓄積容量電圧を前記複数の容量線の夫々に供給し、前記リセット回路は、オフレベルの電圧レベルを有する前記書込信号を前記データ線に書き込むように構成してもよい。
【００３５】
このように構成すれば、リセット直後（言い換えれば、リセット用の書込信号が書き込まれる前）における容量線の電圧レベルと、実際にリセット用の書込信号が書き込まれた後における容量線の電圧レベルとを変えたとしても、オフレベルの電圧レベルを有する書込信号を書き込むことで、リセット処理を好適に完了させることができる。
【００３６】
上述の如くリセット回路がオフレベルの電圧レベルを有する書込信号を書き込む電気光学装置の態様では、前記リセット回路は、前記データ線に対してデータ信号を供給するデータ線駆動回路を含むように構成してもよい。
【００３７】
このように構成すれば、データ線駆動回路であるリセット回路は、通常のデータ線へのデータ信号の供給動作と同様の態様で、オフレベルの電圧レベルを有する書込信号をデータ線に供給することができる。これにより、リセット処理を好適に完了させることができる。
【００３８】
本発明の電気光学装置の他の態様では、前記走査線駆動回路は、前記リセット信号が入力された場合、前記リセット信号が入力される前と比較して、前記走査信号の前記走査線への供給動作を早め、前記蓄積容量駆動回路は、前記リセット信号が入力された場合、前記リセット信号が入力される前と比較して、前記蓄積容量電圧の前記容量線への供給動作を早める。
【００３９】
この態様によれば、リセット処理が行われている間は、走査線駆動回路の動作シーケンス（つまり、走査線への走査信号の供給シーケンス）及び蓄積容量駆動回路の動作シーケンス（つまり、容量線への蓄積容量電圧の供給シーケンス）が相対的に早められる。従って、迅速にリセット処理を完了させることができる。
【００４０】
（電子機器）
上記課題を解決するために、本発明の電子機器は、上述した本発明の電気光学装置（但し、その各種態様を含む）を備える。
【００４１】
本発明の電子機器によれば、上述した本発明の電気光学装置（或いは、その各種態様）備えているため、上述した本発明の電気光学装置が享受する各種効果と同様の効果を享受することができる。つまり、上述した本発明の電気光学装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００４２】
本発明の作用及び他の利得は次に説明する実施の形態から更に明らかにされよう。
【発明を実施するための最良の形態】
【００４３】
以下、本発明を実施するための最良の形態を、図面に基づいて説明する。尚、以下では、本発明に係る電気光学装置の一例として、液晶装置を用いて説明を進める。
【００４４】
（１）液晶装置の基本構成
先ず、本実施形態に係る液晶装置の構成について、図１及び図２を参照して説明する。図１は、本実施形態に係る液晶装置の構成を示す平面図であり、図２は、図１のＨ−Ｈ’断面図である。
【００４５】
図１及び図２において、本実施形態に係る液晶装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置する枠状或いは額縁状のシール領域に設けられたシール材５２により互いに貼り合わされている。
【００４６】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。但し、データ線駆動回路１０は、シール領域よりも内側に、データ線駆動回路１０１が額縁遮光膜５３に覆われるようにして設けられていてもよい。この一辺に沿ったシール領域よりも内側に、サンプリング回路７が額縁遮光膜５３に覆われるようにして設けられている。また、走査線駆動回路１０４及び容量線駆動回路１１０は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４７】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００４８】
図２において、ＴＦＴアレイ基板１０上には、駆動素子である画素スイッチング用のＴＦＴ（Thin Film Transistor）や走査線、データ線等の配線が作り込まれた積層構造が形成されている。画像表示領域１０ａには、画素スイッチング用ＴＦＴや走査線、データ線等の配線の上層に画素電極９ａがマトリクス状に設けられている。画素電極９ａ上には、配向膜８が形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に、ＩＴＯ等の透明材料からなる共通電極２１が複数の画素電極９ａと対向してベタ状に形成されている。共通電極２１上には配向膜８が形成されている。また、液晶層５０は、例えば一種又は数種類のネマティック液晶を混合した液晶からなり、これら一対の配向膜間で、所定の配向状態をとる。上記構成はＴＦＴアレイ基板１０の画素電極９ａと対向基板２０の共通電極２１の間の電界により液晶層５０を駆動する所謂縦電界のモードの構成であるが、ＩＰＳ（イン・プレーン・スイッチング）、ＦＦＳ（フリンジ・フィールド・スイッチング）等の横電界モードの構成でも良い。横電界モードではＴＦＴアレイ基板側に画素電極と共通電極が配置されるため、対向基板に電極がないため、ＴＦＴアレイ基板と対向基板を接続する上下導通端子が必要なくなる。
【００４９】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００５０】
（２）液晶装置の詳細な構成
続いて、図３を参照して、本実施形態に係る液晶装置１００の要部の電気的な構成について説明する。ここに、図３は、本実施形態に係る液晶装置１００の要部の電気的な構成を概念的に示すブロック図である。
【００５１】
図３において、本実施形態に係る液晶装置１００は、そのＴＦＴアレイ基板１０上の画像表示領域１０ａの周辺に位置する周辺領域に、走査線駆動回路１０４、データ線駆動回路１０１、容量線駆動回路１１０等の駆動回路が形成されている。
【００５２】
走査線駆動回路１０４は、走査信号を、走査線Ｙ１からＹｎ（但し、ｎは１以上の整数）に順次供給する。例えば、ある走査線Ｙａ（但し、ａは、１≦ａ≦ｎを満たす整数）にハイレベルの走査信号が供給されると、この走査線Ｙａに接続されたＴＦＴ１１６が全てオン状態となり、この走査線Ｙａに対応する画素部７０が全て選択される。
【００５３】
データ線駆動回路１０１は、画像信号を、データ線Ｘ１からＸｍ（但し、ｍは１以上の整数）に順次供給し、オン状態のＴＦＴ１１６を介してこの画像信号に基づく画像電圧を画素電極９ａ及び蓄積容量１１９に書き込む。本実施形態では特に、データ線駆動回路１０１は、１水平走査期間毎（例えば、１フィールド期間毎に又は１フレーム期間毎に）に極性（言い換えれば、論理レベル）が反転すると共に同一の水平走査期間についても見た場合に１垂直走査期間毎に反転する信号ＰＳを参照しながら、該信号ＰＳの論理レベルがハイレベルの場合に正極性書込を行い且つ信号ＰＳの論理レベルがローレベルの場合に負極性書込を行うように、画像信号をデータ線Ｘ１からＸｍに供給する。より具体的には、ある水平走査期間にａ行目の画素部７０に対して正極性書込を行った場合には、次の水平走査期間においてａ＋１行目の画素部７０に対して負極性書込を行うと共に、次の垂直走査期間においてａ行目の画素部７０に対して負極性書込を行う。つまり、本実施形態では、走査線Ｙ１からＹｎ毎に極性反転を行っている。尚、本実施形態における極性反転は、液晶素子１１８の他端たる共通電極２１の電位を基準として、データ線Ｘ１からＸｍに供給される画像信号の電圧レベルを交流反転させることをいう。
【００５４】
容量線駆動回路１１０は、後に詳述するように、極性信号供給回路１２０から供給される極性信号ＰＯＬを参照しながら、第１電圧ＶＭＯＳＨ又は第１電圧ＶＭＯＳＨよりも電位が低い第２電圧ＶＭＯＳＬを、容量線ＳＣ１からＳＣｎに供給する。より具体的には、容量線駆動回路１１０に対しては、極性信号供給回路１２０から、１垂直走査期間毎に信号レベルが反転する極性信号ＰＯＬが供給される。また、容量線駆動回路１１０は、奇数行の容量線ＳＣｋ（但し、ｋは１以上の奇数）に対しては、極性信号ＰＯＬの信号レベルと同一極性の電圧を供給すると共に、偶数行の容量線ＳＣｋ＋１に対しては、極性信号ＰＯＬの信号レベルと逆極性の電圧を供給する。このため、容量線駆動回路１１０は、互いに隣接する容量線ＳＣｋと容量線ＳＣｋ＋１（言い換えれば、偶数行の容量線と奇数行の容量線）に互いに異なる電圧を供給すると共に、各行の容量線ＳＣ１からＳＣｎの夫々に対して、１垂直走査期間毎に、第１電圧ＶＭＯＳＨと第２電圧ＶＭＯＳＬとを交互に供給する。例えば、容量線駆動回路１１０は、ある１垂直走査期間において相対的にハイレベルの信号レベルを有する極性信号ＰＯＬが極性信号供給回路１２０から供給されている場合には、奇数行の容量線ＳＣｋに第１電圧ＶＭＯＳＨを供給すると共に、偶数行の容量線ＳＣｋ＋１に第２電圧ＶＭＯＳＬを供給する。また、次の１垂直走査期間においては、相対的にローレベルの信号レベルを有する極性信号ＰＯＬが極性信号供給回路１２０から供給されるため、奇数行の容量線ＳＣｋに第２電圧ＶＭＯＳＬを供給すると共に、偶数行の容量線ＳＣｋ＋１に第１電圧ＶＭＯＳＨを供給する。
【００５５】
このとき、容量線駆動回路１１０は、画素部７０に対して正極性書込及び負極正書込のいずれが行われているかに応じて、ａ行目の容量線ＳＣａに対して、１垂直走査期間毎に（或いは、１フィールド期間毎に又は１フレーム期間毎に）、第１電圧ＶＭＯＳＨと第２電圧ＶＭＯＳＬとを交互に供給する。具体的には、ａ行目の画素部７０に対して正極性書込みが行われている場合には、ａ行の後段のａ＋１行目の走査線Ｙａ＋１に供給されている走査信号がローレベルになった場合に、ａ行目の容量線ＳＣａに、相対的にハイレベルである第１電圧ＶＭＯＳＨを供給する。他方、ａ行目の画素部７０に対して負極性書込みが行われている場合には、ａ行の後段のａ＋１行目の走査線Ｙａ＋１に供給されている走査信号がローレベルになった場合に、ａ行目の容量線ＳＣａに、相対的にローレベルである第２電圧ＶＭＯＳＬを供給する。従って、極性信号供給回路１２０からは、画素部７０に対して正極性書込及び負極正書込のいずれが行われているかに応じて、適切な信号レベルを有する極性信号が供給される。つまり、極性信号供給回路１２０からは、画素部７０に対して正極性書込及び負極正書込のいずれが行われているか信号ＰＳと同期する極性信号ＰＯＬが供給される。
【００５６】
本実施形態に係る液晶装置１００には、更に、そのＴＦＴアレイ基板１０の中央を占める画像表示領域１０ａに、マトリクス状に配列された複数の画素部７０が設けられている。
【００５７】
画素部７０は、画素スイッチング用のＴＦＴ１１６、画素電極９ａ、液晶素子１１８、共通電極２１及び蓄積容量１１９を備えている。
【００５８】
ＴＦＴ１１６は、ソース端子がデータ線Ｘ１〜Ｘｍのいずれかに電気的に接続され、ゲート端子が走査線Ｙ１からＹｎのいずれかに電気的に接続され、ドレイン端子が画素電極９ａに電気的に接続されている。画素スイッチング用のＴＦＴ１１６は、走査線駆動回路１０４から供給される走査信号によってオン状態及びオフ状態が切り換えられる。
【００５９】
液晶素子１１８は、画素電極９ａ、共通電極２１並びに画素電極９ａ及び共通電極２１間に位置する液晶から構成されている。画素電極９ａは、ＴＦＴ１１６を介してデータ線Ｘ１からＸｍのいずれかと電気的に接続されている。共通電極２１は、不図示の共通配線と電気的に接続されている。液晶装置１００の動作時には、データ線Ｘ１からＸｍ及びＴＦＴ１１６を介して供給された画像信号の電位を有する画素電極９ａと、共通線を介して供給された共通電圧の電位を有する共通電極２１との間には電界が生じる。液晶は、当該電界に応じて駆動されることによって、即ち、当該電界に応じて分子集合の配向や秩序が変化することによって、光を変調し、階調表示を可能とする。
【００６０】
蓄積容量１１９は、本発明における「蓄積容量素子」の一具体例を構成しており、保持された画像信号がリークするのを防ぐために付加されている。蓄積容量１１９を構成する一方の電極は、画素電極９ａに電気的に接続され、他方の電極は、容量線ＳＣ１からＳＣｎのいずれかに電気的に接続されている。
【００６１】
（３）容量線駆動回路の具体的な構成及び動作
続いて、図４を参照して、容量線駆動回路１１０の具体的な構成及び動作について説明する。ここに、図４は、容量線駆動回路１１０の構成を概念的に示すブロック図である。
【００６２】
図４に示すように、容量線駆動回路１１０は、ラッチ回路１１１（１）から１１１（ｎ）と、ラッチ回路１１２（１）から１１２（ｎ）と、電圧選択回路１１３（１）から１１３（ｎ）とを備えている。つまり、容量線駆動回路１１０は、行毎に、２つのラッチ回路１１１及び１１２と電圧選択回路１１３とを備えている。
【００６３】
奇数行のラッチ回路１１１（ｋ）は、ラッチ回路部１１１（ｋ）に対応する容量線ＳＣｋの後段（つまり、後の行）の走査線Ｙｋ＋１に供給される走査信号の論理レベルがハイレベルのときに供給される極性信号ＰＯＬをそのまま取り込むと共に、容量制御信号ＣＳＬがハイレベルとなるタイミングで、取り込んだ極性信号ＰＯＬをラッチ信号ＬＡＴｋとしてラッチ回路１１２（ｋ）に対して供給する。他方で、偶数行のラッチ回路１１１（ｋ＋１）は、ラッチ回路部１１１（ｋ＋１）に対応する容量線ＳＣｋ＋１の後段（つまり、後の行）の走査線Ｙｋ＋２に供給される走査信号の論理レベルがハイレベルのときに供給される極性信号ＰＯＬの極性を反転した反転極性信号／ＰＯＬを取り込むと共に、取り込んだ反転極性信号／ＰＯＬをラッチ信号ＬＡＴｋ＋１としてラッチ回路１１２（ｋ＋１）に対して供給する。
【００６４】
ラッチ回路１１２（１）から１１２（ｎ）は、リセット信号ＲＳＴの信号レベルがハイレベルの間は、ラッチ回路１１１（１）から１１１（ｎ）から供給されるラッチ信号ＬＡＴ（１）から（ｎ）を、そのまま個別極性信号ＰＯＬ（１）からＰＯＬ（ｎ）として電圧選択回路１１３（１）から１１３（ｎ）に対して供給する。他方で、ラッチ回路１１２（１）から１１２（ｎ）は、リセット信号ＲＳＴの信号レベルがローレベルの間は、ラッチ回路１１１（１）から１１１（ｎ）から供給されるラッチ信号ＬＡＴ（１）から（ｎ）に関わらず、固定の信号（例えば、相対的にローレベルな信号）を、個別極性信号ＰＯＬ（１）からＰＯＬ（ｎ）として電圧選択回路１１３（１）から１１３（ｎ）に対して供給する。
【００６５】
電圧選択回路１１３（１）から１１３（ｎ）は、ラッチ回路１１２（１）から１１２（ｎ）からハイレベルの個別極性信号ＰＯＬ１からＰＯＬｎが供給されると、第１電圧ＶＭＯＳＨを供給するＶＭＯＳＨラインから供給される第１電圧ＶＭＯＳＨを容量線ＳＣ１からＳＣｎに対して供給する。他方で、電圧選択回路１１３（１）から１１３（ｎ）は、ラッチ回路１１２（１）から１１２（ｎ）からローレベルの個別極性信号ＰＯＬ１からＰＯＬｎが供給されると、第２電圧ＶＭＯＳＬを供給するＶＭＯＳＬラインから供給される第２電圧ＶＭＯＳＬを容量線ＳＣ１からＳＣｎに対して供給する。
【００６６】
ここで、以上の如き動作を行う液晶装置１００の動作（特に、ローレベルのリセット信号ＲＳＴが供給される前後における容量線駆動回路１１０の動作）について、図５及び図６を用いて、より詳細に説明する。ここに、図５は、液晶装置１００の動作の流れを概念的に示すタイミングチャートであり、図６は、リセット処理が行われている場合の画素部７０に対する書込動作の態様を概念的に示す回路図である。
【００６７】
図５に示すように、時刻ｔ１において１垂直走査期間が開始されると共に、極性信号ＰＯＬの信号レベルがローレベルからハイレベルに切り替わる。このとき、リセット信号ＲＳＴの信号レベルがハイレベルであるため、通常の走査動作が行われる。具体的には、走査線駆動回路１０４は、ハイレベルの走査信号を、走査線Ｙ１からＹｎに対して順次供給すると共に、データ線駆動回路１０１は、画像信号を、データ線Ｘ１からＸｍ（但し、ｍは１以上の整数）に順次供給する。また、容量線駆動回路１１０は、奇数行である１行目の容量線ＳＣ１に対しては、２行目の走査線Ｙ２にハイレベルの走査信号が供給されるタイミングで、相対的にハイレベルな第１電圧ＶＭＯＳＨを供給する。同様に、偶数行である２行目の容量線ＳＣ２に対しては、３行目の走査線Ｙ３にハイレベルの走査信号が供給されるタイミングで、相対的にローレベルな第２電圧ＶＭＯＳＬを供給する。３行目以降の容量線ＳＣ３からＳＣｎについても同様である。
【００６８】
ここで、時刻ｔ１において開始された１垂直走査期間の途中時点である時刻ｔ２において、リセット信号ＲＳＴがローレベルになったとする。このリセット信号ＲＳＴがローレベルになった時点で、走査線駆動回路１０４は、走査線Ｙ１からＹｎに対する走査信号の供給を一旦停止する。また、容量線駆動回路１１０が備えるラッチ回路１１２（１）から１１２（ｎ）は、固定の信号（例えば、相対的にローレベルな信号）を、個別極性信号ＰＯＬ（１）からＰＯＬ（ｎ）として電圧選択回路１１３（１）から１１３（ｎ）に対して供給する。従って、容量線駆動回路１１０は、全ての行の容量線ＳＣ１からＳＣｎに対して、相対的にローレベルな第２電圧ＶＭＯＳＬを供給する。
【００６９】
その後、走査線駆動回路１０４は、走査線Ｙ１からＹｎに対する走査信号の供給を再開する。このとき、走査線駆動回路１０４は、先頭行である１行目の走査線Ｙ１から再度走査信号の供給を開始する。つまり、リセット信号ＲＳＴがローレベルに切り替わった時点でハイレベルの走査信号を供給していた行がいずれの行であるかに関わらず、先頭行である１行目の走査線Ｙ１から順次ハイレベルの走査信号が供給されるように、走査線Ｙ１からＹｎに対する走査信号の供給を開始する。
【００７０】
加えて、極性信号供給回路１２０は、通常１垂直走査期間毎に信号レベルが切り替わる極性信号ＰＯＬに代えて、１水平走査期間毎に信号レベルが切り替わる極性信号ＰＯＬを容量線駆動回路１１０に対して供給する。より具体的には、極性信号供給回路１２０は、図５に示すように、奇数行の走査線Ｙｋに対してハイレベルの走査信号が供給されるタイミングでハイレベルになると共に、偶数行の走査線Ｙｋ＋１に対してハイレベルの走査信号が供給されるタイミングでローレベルになる極性信号ＰＯＬを容量線駆動回路１１０に対して供給する。
【００７１】
このため、容量線駆動回路１１０は、全ての行の容量線ＳＣ１からＳＣｎに対してローレベルの第２電圧ＶＭＯＳＬを供給する。具体的には、偶数行であるｋ＋１行目の走査線Ｙｋ＋１にハイレベルの走査信号が供給されるタイミングで容量線駆動回路１１０に対してローレベルの極性信号ＰＯＬが供給される。このため、ｋ行目のラッチ回路１１１（ｋ）によってローレベルの極性信号ＰＯＬがラッチ信号ＬＡＴｋとして取り込まれる。従って、容量線駆動回路１１０が備える電圧選択回路１１３（ｋ）は、奇数行であるｋ行目の容量線ＳＣｋに対して、相対的にローレベルな第２電圧ＶＭＯＳＬを供給する。同様に、奇数行であるｋ＋２行目の走査線Ｙｋ＋２にハイレベルの走査信号が供給されるタイミングで容量線駆動回路１１０に対してハイレベルの極性信号ＰＯＬが供給される。このため、ｋ＋１行目のラッチ回路１１１（ｋ＋１）によってハイレベルの極性信号ＰＯＬを反転したローレベルの反転極性信号／ＰＯＬがラッチ信号ＬＡＴｋ＋１として取り込まれる。従って、容量線駆動回路１１０が備える電圧選択回路１１３（ｋ＋１）は、偶数行であるｋ＋１行目の容量線ＳＣｋ＋１に対して、相対的にローレベルな第２電圧ＶＭＯＳＬを供給する。
【００７２】
また、このとき、図６に示すように、データ線駆動回路１０１とデータ線Ｘ１からＸｍとの間に設けられるＴＦＴ１３１がオン状態になると共に、共通電極２１に対して共通電圧を供給するための共通線ＣＯＭとデータ線Ｘ１からＸｍとの間に設けられるＴＦＴ１３２がオフ状態に切り替えられる。加えて、データ線駆動回路１０１は、共通電極２１に供給される共通電圧の電圧レベルと同一の電圧レベルを有する画像信号をデータ線Ｘ１からＸｍに対して供給する。その結果、共通電圧の電圧レベルと同一の電圧レベルを有する画像信号の画素電極９ａへの書込みが行われる。ここで、容量線ＳＣ１からＳＣｎの電圧レベルは、データ線駆動回路１０１による共通電圧の電圧レベルと同一の電圧レベルを有する画像信号の書込動作が行われる前後で変化しない。このため、共通電圧の電圧レベルと同一の電圧レベルを有する画像信号をデータ線Ｘ１からＸｍに対して供給すれば、画素部７０に対するリセット処理（言い換えれば、初期化処理ないしは放電処理）が完了する。このとき、必要に応じて、データ線駆動回路１０１や走査線駆動回路１０４や容量線駆動回路１１０等のリセット処理を行うように構成してもよい。
【００７３】
以上説明したように、本実施形態に係る液晶装置１００によれば、１垂直走査期間の途中で（言い換えれば、途中行の走査線に対してハイレベルの走査信号が供給されている時点で）強制的にリセット処理を行う場合であっても、まず、走査線Ｙ１からＹｎへの走査信号の供給が停止されると共に容量線ＳＣ１からＳＣｎに対して共通の電圧である第２電圧ＶＭＯＳＬが供給される。このため、本実施形態に係る液晶装置１００では、リセット信号ＲＳＴがローレベルに切り替わった時点でハイレベルの走査信号が供給されていた行を記憶していなくとも、各行の容量線ＳＣ１からＳＣｎの電圧レベルがどのような電圧レベルであるのかが確実に定まる。その後、容量線駆動回路１１０が、１水平走査期間毎に信号レベルが変化する極性信号ＰＯＬに応じて容量線ＳＣ１からＳＣｎへの電圧の供給を行うため、容量線ＳＣ１からＳＣｎの電圧レベルを変動させることはない。従って、データ線駆動回路１０１から共通電圧の電圧レベルと同一の電圧レベルを有する画像信号の書込みを行うことで、画素部７０のリセット処理を好適に行うことができる。つまり、１垂直走査期間における走査動作の途中の時点でリセット信号ＲＳＴがローレベルに切り替わった場合であっても、１垂直走査期間における走査動作を最後まで終了させた後にリセット処理を行う必要はなくなる。つまり、リセット信号ＲＳＴがローレベルに切り替わってからすぐに或いは迅速にリセット処理を開始することができる。
【００７４】
尚、上述した説明では、画素部７０に対するリセット処理は、データ線駆動回路１０１からの画像信号の書込みによって行われている。しかしながら、画素部７０のリセット処理のために共通電圧の電圧レベルと同一の電圧レベルを有する画像信号の書込みを行っていることを考慮すれば、データ線Ｘ１からＸｍと共通線ＣＯＭとを短絡させるように構成してもよい。この態様について、図７を参照して説明する。ここに、図７は、データ線Ｘ１からＸｍと共通電極２１に対して共通電圧を供給する共通線ＣＯＭとを短絡させることでリセット処理が行われている場合の画素部７０に対する書込動作の態様を概念的に示す回路図である。
【００７５】
図７に示すように、ＴＦＴ１３１がオフ状態になると共にＴＦＴ１３２がオン状態に切り替えられるように構成してもよい。これにより、データ線Ｘ１からＸｍと共通線ＣＯＭとが短絡させられ、その結果、共通電圧の電圧レベルと同一の電圧レベルを有する画像信号を画素電極９ａに対して書き込むことができる。このように構成しても、上述した各種効果を好適に享受することができる。
【００７６】
加えて、データ線駆動回路１０１を使用することなく共通電圧の電圧レベルと同一の電圧レベルを有する画像信号を画素電極９ａに対して書き込むことができるため、データ線駆動回路１０１に対して行われるリセット処理の影響を受けることなく、画素部７０のリセット処理を完了させることができる。
【００７７】
また、上述した説明では、リセット信号ＲＳＴがローレベルに切り替わった時点で、全ての行の容量線ＳＣ１からＳＣｎに対してローレベルの第２電圧ＶＭＯＳＬを供給している。しかしながら、リセット信号ＲＳＴがローレベルに切り替わった時点で、全ての行の容量線ＳＣ１からＳＣｎに対してハイレベルの第１電圧ＶＭＯＳＨを供給するように構成してもよい。この場合、走査信号の供給が再開された後には、全ての行の容量線ＳＣ１からＳＣｎに対してハイレベルの第１電圧ＶＭＯＳＨを供給することが好ましい。従って、極性信号供給回路１２０は、奇数行の走査線Ｙｋに対してハイレベルの走査信号が供給されるタイミングでローレベルになると共に、偶数行の走査線Ｙｋ＋１に対してハイレベルの走査信号が供給されるタイミングでハイレベルになる極性信号ＰＯＬを容量線駆動回路１１０に対して供給することが好ましい。このように構成しても、上述した各種効果を享受することができる。
【００７８】
（４）変形動作例
続いて、図８から図１０を参照して、本実施形態に係る液晶装置１００の変形動作例について説明する。
【００７９】
（４−１）第１変形動作例
初めに、図８を参照して、本実施形態に係る液晶装置１００の第１変形動作例について説明する。ここに、図８は、液晶装置１００の第１変形動作例の流れを概念的に示すタイミングチャートである。
【００８０】
上述した説明では、容量線ＳＣ１からＳＣｎの電圧レベルは、データ線駆動回路１０１による共通電圧の電圧レベルと同一の電圧レベルを有する画像信号の書込動作が行われる前後で変化しない。しかしながら、第１変形動作例においては、図８に示すように、容量線ＳＣ１からＳＣｎの電圧レベルは、データ線駆動回路１０１によるリセット処理用の画像信号の書込動作が行われる前後で変化している。具体的には、リセット信号ＲＳＴがローレベルになった時点で、容量線駆動回路１１０は、奇数行の容量線ＳＣｎに対して、相対的にローレベルな第２電圧ＶＭＯＳＬを供給し、偶数行の容量線ＳＣｎ＋１に対して、相対的にハイレベルな第１電圧ＶＭＯＳＨを供給する。その後、リセット処理用の画像信号の書込動作が行われた後、容量線駆動回路１１０は、奇数行の容量線ＳＣｎに対して、相対的にハイレベルな第１電圧ＶＭＯＳＨを供給し、偶数行の容量線ＳＣｎ＋１に対して、相対的にローレベルな第２電圧ＶＭＯＳＬを供給する。このような動作を行うためには、極性信号供給回路１２０が、奇数行の走査線Ｙｋに対してハイレベルの走査信号が供給されるタイミングでローレベルになると共に、偶数行の走査線Ｙｋ＋１に対してハイレベルの走査信号が供給されるタイミングでハイレベルになる極性信号ＰＯＬを容量線駆動回路１１０に対して供給すればよい。
【００８１】
但し、容量線ＳＣ１からＳＣｎの電圧レベルがリセット処理用の画像信号の書込動作が行われる前後で変化しているため、データ線駆動回路１０１は、共通電圧の電圧レベルと同一の電圧レベルを有する画像信号に代えて、オフレベルの電圧レベルを有する画像信号を書き込むことでリセット処理を行う必要がある。オフレベルの電圧レベルを有する画像信号としては、例えば最小階調に相当する電圧レベルを有する画像信号が一例としてあげられる。
【００８２】
このような第１変形動作例においても、１垂直走査期間における走査動作の途中の時点でリセット信号ＲＳＴがローレベルに切り替わった場合であっても、１垂直走査期間における走査動作を最後まで終了させた後にリセット処理を行う必要はなくなる。つまり、リセット信号ＲＳＴがローレベルに切り替わってからすぐに或いは迅速にリセット処理を開始することができる。従って、上述した各種効果を好適に享受することができる。
【００８３】
（４−２）第２変形動作例
続いて、図９を参照して、本実施形態に係る液晶装置１００の第２変形動作例について説明する。ここに、図９は、液晶装置１００の第２変形動作例の流れを概念的に示すタイミングチャートである。
【００８４】
上述した説明では、リセット信号ＲＳＴがローレベルに切り替わった後には（つまり、リセット処理が行われている間は）、全ての行の容量線ＳＣ１からＳＣｎに対して同一の電圧レベルを有する電圧が供給されている。しかしながら、第２変形動作例においては、図９に示すように、リセット信号ＲＳＴがローレベルに切り替わった後においても、互いに隣接する容量線ＳＣｋと容量線ＳＣｋ＋１（言い換えれば、偶数行の容量線と奇数行の容量線）に互いに異なる電圧を供給している。このような動作を行うためには、極性信号供給回路１２０が、少なくともリセット処理が行われている間は信号レベルが切り替わらない（つまり、信号レベルが固定されている）極性信号ＰＯＬを容量線駆動回路１１０に対して供給すればよい。
【００８５】
このような第２変形動作例においても、１垂直走査期間の途中で強制的にリセット処理を行う場合であっても、リセット信号ＲＳＴがローレベルに切り替わった時点でハイレベルの走査信号が供給されていた行を記憶していなくとも、各行の容量線ＳＣ１からＳＣｎの電圧レベルがどのような電圧レベルであるのかが確実に定まる。従って、データ線駆動回路１０１から共通電圧の電圧レベルと同一の電圧レベルを有する画像信号の書込みを行うことで、画素部７０のリセット処理を好適に行うことができる。つまり、１垂直走査期間における走査動作の途中の時点でリセット信号ＲＳＴがローレベルに切り替わった場合であっても、１垂直走査期間における走査動作を最後まで終了させた後にリセット処理を行う必要はなくなる。つまり、リセット信号ＲＳＴがローレベルに切り替わってからすぐに或いは迅速にリセット処理を開始することができる。従って、上述した各種効果を好適に享受することができる。
【００８６】
（４−３）第３変形動作例
続いて、図１０を参照して、本実施形態に係る液晶装置１００の第３変形動作例について説明する。ここに、図１０は、液晶装置１００の第３変形動作例の流れを概念的に示すタイミングチャートである。
【００８７】
図１０に示す第３変形動作例では、第２変形動作例に対して、第１変形動作例を組み合わせた動作が行われる。具体的には、第３変形動作例では、リセット信号ＲＳＴがローレベルに切り替わった後においても、互いに隣接する容量線ＳＣｋと容量線ＳＣｋ＋１（言い換えれば、偶数行の容量線と奇数行の容量線）に互いに異なる電圧を供給しつつ、容量線ＳＣ１からＳＣｎの電圧レベルを、データ線駆動回路１０１によるリセット処理用の画像信号の書込動作が行われる前後で変化させている。また、第３変形動作例においては、第１変形動作例と同様に、データ線駆動回路１０１は、共通電圧の電圧レベルと同一の電圧レベルを有する画像信号に代えて、オフレベルの電圧レベルを有する画像信号を書き込むことでリセット処理を行う必要がある。
【００８８】
このような第３変形動作例においても、１垂直走査期間における走査動作の途中の時点でリセット信号ＲＳＴがローレベルに切り替わった場合であっても、１垂直走査期間における走査動作を最後まで終了させた後にリセット処理を行う必要はなくなる。つまり、リセット信号ＲＳＴがローレベルに切り替わってからすぐに或いは迅速にリセット処理を開始することができる。従って、上述した各種効果を好適に享受することができる。
【００８９】
（５）電子機器
続いて、図１１及び図１２を参照しながら、上述の液晶装置１００を具備してなる電子機器の例を説明する。
【００９０】
図１１は、上述した液晶装置１００が適用されたモバイル型のパーソナルコンピュータの斜視図である。図１１において、コンピュータ１２００は、キーボード１２０２を備えた本体部１２０４と、上述した液晶装置１００を含んでなる液晶表示ユニット１２０６とから構成されている。液晶表示ユニット１２０６は、液晶装置１００の背面にバックライトを付加することにより構成されている。
【００９１】
次に、上述した液晶装置１００を携帯電話に適用した例について説明する。図１２は、電子機器の一例である携帯電話の斜視図である。図１２において、携帯電話１３００は、複数の操作ボタン１３０２とともに、半透過反射型の表示形式を採用し、且つ上述した液晶装置１と同様の構成を有する液晶装置１００５を備えている。
【００９２】
これらの電子機器においても、上述した液晶装置１００を含んでいるため、上述した各種効果を好適に享受することができる。
【００９３】
尚、図１１及び図１２を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【００９４】
本発明は、上述した実施例に限られるものではなく、請求の範囲及び明細書全体から読み取れる発明の要旨或いは思想に反しない範囲で適宜変更可能であり、そのような変更を伴なう電気光学装置及び電子機器もまた本発明の技術的範囲に含まれるものである。
【図面の簡単な説明】
【００９５】
【図１】実施形態に係る液晶装置の構成を示す平面図である。
【図２】図１のＨ−Ｈ’断面図である。
【図３】本実施形態に係る液晶装置の要部の電気的な構成を概念的に示すブロック図である。
【図４】容量線駆動回路の構成を概念的に示すブロック図である。
【図５】液晶装置の動作の流れを概念的に示すタイミングチャートである。
【図６】リセット処理が行われている場合の画素部に対する書込動作の態様を概念的に示す回路図である。
【図７】データ線と共通線とを短絡させることでリセット処理が行われている場合の画素部に対する書込動作の態様を概念的に示す回路図である。
【図８】液晶装置の第１変形動作例の流れを概念的に示すタイミングチャートである。
【図９】液晶装置の第２変形動作例の流れを概念的に示すタイミングチャートである。
【図１０】液晶装置の第３変形動作例の流れを概念的に示すタイミングチャートである。
【図１１】液晶装置が適用されたモバイル型のパーソナルコンピュータの斜視図である。
【図１２】液晶装置が適用された携帯電話の斜視図である。
【符号の説明】
【００９６】
１…液晶装置、１１…共通電極、１０１…データ線駆動回路、１０４…走査線駆動回路、１１０…容量線駆動回路、１１１…ラッチ回路、１１２…ラッチ回路、１１３…電圧選択回路、Ｙ１〜Ｙｎ…走査線、ＳＣ１〜ＳＣｎ…容量線
【図１】
2009229817.tif 000003
【図２】
2009229817.tif 000004
【図３】
2009229817.tif 000005
【図４】
2009229817.tif 000006
【図５】
2009229817.tif 000007
【図６】
2009229817.tif 000008
【図７】
2009229817.tif 000009
【図８】
2009229817.tif 000010
【図９】
2009229817.tif 000011
【図１０】
2009229817.tif 000012
【図１１】
2009229817.tif 000013
【図１２】
2009229817.tif 000014